(57)【要約】【課題】スプラッシュミストよりも粒子径が小さい微細ミストを容易に得ること。【解決手段】微細ミスト発生装置４は、回転により水を下から上に吸い上げる水上昇部５０とこの水上昇部５０の上端から径方向外方に突設された水飛散部５１とを有する回転体３４と、回転体３４の径方向外方に水飛散部５１と間隔を隔てて対向配置される衝突板３５と、注水口４５の吐水側４５ａから流下する所定流量の水を受けて水上昇部５０の下端５０ａ側へ導く水受け部３８とを備えると共に、水飛散部５１から飛散した水が衝突板３５に衝突することで発生する微細ミストを、衝突板３５と水受け部３８との間に設けた微細ミスト放出口３７を介して外部に放出する構成とした。【選択図】図１
2010084949.tif 000002
【特許請求の範囲】
【請求項１】
浴室暖房を行なう浴室用空調機本体に微細ミストを発生する微細ミスト発生装置を設けた微細ミスト発生機能付き浴室用空調機であって、上記微細ミスト発生装置は、モータにより回転して水を下から上に吸い上げる正面視逆円錐形状の水上昇部と該水上昇部の上端から径方向外方に突設された平面視円盤形状の水飛散部とを有する回転体と、上記回転体の径方向外方に水飛散部と間隔を隔てて対向配置される筒形の衝突板と、注水口の吐水側に臨む空間に開放されて該注水口の吐水側から流下する所定流量の水を受けて上記回転体の水上昇部の下端側へ導く水受け部とを備えると共に、上記水飛散部から飛散した水が上記衝突板に衝突することで発生する微細ミストを、上記衝突板と上記水受け部との間に設けた微細ミスト放出口を介して外部に放出する構成としたことを特徴とする微細ミスト発生機能付き浴室用空調機。
【請求項２】
上記浴室用空調機本体を浴室の天井に設置し、該浴室用空調機本体の下面に、上記微細ミスト放出口を全周に備えた微細ミスト発生装置を設けたことを特徴とする請求項１記載の微細ミスト発生機能付き浴室用空調機。
【請求項３】
上記水飛散部と対向する衝突板の内周面の複数箇所から内方に向けてリブを突設したことを特徴とする請求項１又は２記載の微細ミスト発生機能付き浴室用空調機。
【請求項４】
上記水受け部の底部にドレン孔を設けると共に、水受け部の底部から所定の隙間を隔てて上記回転体の水上昇部の下端外周面を対向配置したことを特徴とする請求項１乃至３のいずれか一項に記載の微細ミスト発生機能付き浴室用空調機。
【請求項５】
上記回転体の水上昇部の下端を上記水受け部のドレン孔よりも下方に突出させると共に、上記水受け部をドレン孔の方向に向かって下り傾斜させたことを特徴とする請求項４記載の微細ミスト発生機能付き浴室用空調機。
【請求項６】
上記回転体の水上昇部及び水飛散部における水との接触面を親水性材料で被覆したことを特徴とする請求項１乃至５のいずれか一項に記載の微細ミスト発生機能付き浴室用空調機。
【請求項７】
上記微細ミスト発生装置の外周部に、上端が浴室用空調機本体の下面と連なり、下端が上記衝突板の外周面に連なる逆円錐筒状のドレン誘導板を取り付けてなることを特徴とする請求項２乃至６のいずれか一項に記載の微細ミスト発生機能付き浴室用空調機。
【発明の詳細な説明】
【技術分野】
【０００１】
本発明は、微細ミスト発生機能付き浴室用空調機に関し、詳しくは粒子径が２０μｍ程度の微細ミストを簡易に得るための技術に関するものである。
【背景技術】
【０００２】
従来から、ミストノズルから温水の微細な水滴を浴室空間に直接噴霧するミスト噴霧装置が知られている（例えば、特許文献１参照）。
【０００３】
この従来の方式で、噴霧される水滴の粒子径は５０〜１００μｍ程度（スプラッシュミスト）であり、このスプラッシュミストは、ミストサウナとしては水滴の粒子径が比較的大きいため、熱量搬送能力が高く、浴室温度立ち上がり性能が良いが、噴霧される温水水滴の粒子径が大きいため、浴室内に使用者がいる状態でミストを噴霧したとき体に温水水滴が付着する際にツブツブ感があり、使用者がツブツブ感を欲求しない場合には、ミストの噴霧を停止しなければないから、入浴しながらのミストサウナ運転が継続できないことになってしまう。
【０００４】
他の従来例として、モータ駆動される羽根車に温水を噴霧して、羽根車との衝突で粒子径を更に微細化し粒子径を小さくすることが可能な方式（例えば、特許文献２参照）が知られているが、この方式では、浴室内に使用者がいる状態でミストを噴霧したときにも、体に温水水滴が付着する際のツブツブ感が生じないが、ミスト噴霧のためにはある程度の水圧が必要であるから、羽根車との衝突により微細化されなかった温水があった場合に、微細化されなかった温水を回収し再利用するためには、噴霧のための加圧装置（ポンプなど）が必要になる。また、羽根車との衝突により微細化されなかった温水を再利用せず垂れ流した場合には、資源ロス、エネルギロスが生じるという問題がある。
【０００５】
更に他の従来例として、送風機と一体の液体噴霧装置や、プラペラのような旋回部材によって一定の粒度の噴霧を可能にした噴霧装置、散水機等が知られている（例えば、特許文献３−６等参照）。この種の液体噴霧装置を浴室暖房乾燥機に搭載した場合、悪臭やレジオネラ菌などの雑菌の発生を防止するため、頻繁な水受け部内の水換えや清掃が必要であり、使用者に煩わしい作業が発生する。特に、浴室暖房乾燥機の設置場所が浴室の天井等、高所・多湿の場所の場合、清掃作業が困難であるという問題もある。
【特許文献１】特開２００８−１１００２２号公報
【特許文献２】特開平１１−１６４８６９号公報
【特許文献３】特公昭３９−６７３０号公報
【特許文献４】特公昭４０−２５４００号公報
【特許文献５】実公昭４９−２２０１１号公報
【特許文献６】特開昭６０−１４３８５１号公報
【発明の開示】
【発明が解決しようとする課題】
【０００６】
本発明は上記の従来の問題点に鑑みて発明したものであって、その課題とするところは、スプラッシュミストよりも粒子径の微小な微細ミストが容易に得られ、これにより入浴しながら微細ミスト運転を実行したときに、ミストが体に付着したときのツブツブ感を防止でき、入浴しながらの快適なミストサウナ運転を実現できる微細ミスト発生機能付き浴室用空調機を提供することにある。
【課題を解決するための手段】
【０００７】
前記の課題を解決するために、本発明は、浴室暖房を行なう浴室用空調機本体に微細ミストを発生する微細ミスト発生装置４を設けた微細ミスト発生機能付き浴室用空調機である。上記微細ミスト発生装置４は、モータ６により回転して水を下から上に吸い上げる正面視逆円錐形状の水上昇部５０と該水上昇部５０の上端から径方向外方に突設された平面視円盤形状の水飛散部５１とを有する回転体３４と、上記回転体３４の径方向外方に水飛散部５１と間隔を隔てて対向配置される筒形の衝突板３５と、注水口４５の吐水側４５ａの空間に開放されて該注水口４５の吐水側４５ａから流下する所定流量の水を受けて上記回転体３４の水上昇部５０の下端５０ａ側へ導く水受け部３８とを備えると共に、上記水飛散部５１から飛散した水が上記衝突板３５に衝突することで発生する微細ミストを、上記衝突板３５と上記水受け部３８との間に設けた微細ミスト放出口３７を介して外部に放出する構成としたことを特徴としている。
【０００８】
このような構成とすることで、回転体３４の水上昇部５０により吸い上げる水が水飛散部５１から飛散して衝突板３５に激しくぶつかり、微細な霧状の水滴となるので、スプラッシュミスト（５０〜１００μｍ程度）よりも粒子径が小さい微細ミスト（約２０μｍ程度）を微細ミスト放出口３７から噴霧させることができる。従って、入浴しながら微細ミスト運転を実行したときに、ミストが体に付着したときのツブツブ感を防止できるようになる。
【０００９】
また、上記浴室用空調機本体を浴室の天井に設置し、該浴室用空調機本体の下面に、上記微細ミスト放出口３７を全周に備えた微細ミスト発生装置４を設けるのが好ましく、この場合、微細ミスト発生装置４の全周から微細ミストを放出することにより、発生した微細ミストの浴室内における分布がきわめて良くなる。
【００１０】
また、上記水飛散部５１と対向する衝突板３５の内周面の複数箇所から内方に向けてリブ４３を突設するのが好ましく、この場合、回転体３４の水飛散部５１から飛散した水が衝突板３５のリブ４３付き内周面に衝突することで微細化され、リブ４３がない場合と比べて、水滴が衝突板３５の内面に衝突する時の衝撃が大きくなる。これにより、同じ粒子径にまで微細化するときの回転体３４の回転速度が小さくでき、これに伴い回転体３４の回転に伴う騒音発生を低減できる。
【００１１】
また、上記水受け部３８の底部にドレン孔５２を設けると共に、水受け部３８の底部から所定の隙間を隔てて上記回転体３４の水上昇部５０の下端５０ａ外周面を対向配置するのが好ましく、この場合、回転体３４が所定の速度以上で回転する運転中は水を回転体３４の水上昇部５０の下端５０ａ外周面側にスムーズに導いて微細ミスト用の水として利用でき、浴室内に垂れ流すことがないため省資源となる。
【００１２】
また、上記回転体３４の水上昇部５０の下端５０ａを上記水受け部３８のドレン孔５２よりも下方に突出させると共に、上記水受け部３８をドレン孔５２の方向に向かって下り傾斜させるのが好ましく、この場合、水受け部３８の傾斜によって微細化されなかった水及び水受け部３８の外周面で結露した水を水上昇部５０の下端５０ａから回収して再利用できると共に、停止時にはドレン孔５２によって水受け部３８の内外両面にそれぞれ水が残らないので残水による雑菌の発生を確実に防止できるようになる。
【００１３】
また、上記回転体３４の水上昇部５０及び水飛散部５１における水との接触面を親水性材料で被覆するのが好ましく、この場合、水上昇部５０を伝い上昇する水や水飛散部５１に伝わる水がそれぞれ水滴になりにくくなり、水滴による風切音の発生が防げると共に、上昇途中での水の飛散が防止でき、効率良く微細ミストを発生することができる。
【００１４】
また、上記微細ミスト発生装置４の外周部に、上端が浴室用空調機本体の下面と連なり、下端が上記衝突板３５の外周面に連なる逆円錐筒状のドレン誘導板３６を取り付けてなるのが好ましく、この場合、浴室用空調機本体の下面に付着、成長した水滴がドレン誘導板３６の外面を伝い流れて、ドレン誘導板３６で最も低く内側の箇所である、衝突板３５と微細ミスト放出口３７との境界付近で装置内部に移動して、前述の原理によって微細ミストとして再利用されることが促進でき、下への水の滴下を防ぐことができる。
【発明の効果】
【００１５】
本発明は、回転する回転体に水を供給する簡易な構造で、スプラッシュミストよりも粒子径が小さい微細ミストを微細ミスト放出口から噴霧させることができ、結果、入浴しながら微細ミスト運転を実行したときに、ミストが体に付着したときのツブツブ感が防止できるので、入浴しながらの快適なミストサウナ運転を実現できる。
【発明を実施するための最良の形態】
【００１６】
以下、本発明を添付図面に示す実施形態に基いて説明する。
【００１７】
ミストサウナ機能付き浴室暖房乾燥機１は、図１１に示すように、浴室１３の天井部に設置され、浴室１３内に温風を供給する暖房機本体（浴室用空調機本体）２と、浴室１３内にミスト噴霧を行なうスプラッシュミスト噴霧装置３と、微細ミスト発生装置４とで構成されている。なお図１１中の１４は熱源機、１５は浴室１３外に設置されるリモコン操作部であり、スプラッシュミスト運転スイッチ、微細ミスト運転スイッチ、暖房運転スイッチ、換気運転スイッチ、乾燥運転スイッチ、涼風運転スイッチ等が設けられている。
【００１８】
前記暖房機本体２は、図９、図１０に示すように、循環ファン５と、循環ファン５により通風される空気を熱源機１４から供給される温水により加熱する暖房用熱交換器７と、暖房用熱交換器７への温水の供給量を調節する熱動弁８とが機器ケーシング２５内に収納されている。暖房用熱交換器７は、熱源機１４からの温水が循環する暖房用温水管路１６の途中に配置され、熱動弁８を開放することで、循環ファン５からの風が暖房用熱交換器７により加熱されて、下方の温風吹き出し口３０から浴室１３内に供給されるようになっている。さらに暖房用温水管路１６の途中には、後述のミスト用熱交換器１１を加熱するためのミスト加熱用温水管路１９がバイパス接続されている。ミスト加熱用温水管路１９の上流端は暖房用温水管路１６の熱動弁８よりも上流位置に分岐接続され、ミスト加熱用温水管路１９の下流端は暖房用温水管路１６の暖房用熱交換器７よりも下流位置に合流している。図９中の９は浴室温度センサー、１７は温水往き温度センサー、２６は換気ファンであり、図１０中の２７は吸い込み口、３３は吸気フィルターである。
【００１９】
前記暖房機本体２の機器ケーシング２５内部には、ミスト用給水配管２０が収納配管されている。ミスト用給水配管２０の途中には後述のミスト用熱交換器１１が配置されている。ミスト用熱交換器１１よりも上流側は、給水電磁弁２２及びストレーナ２３を介して、外部の水道管に接続されている。ミスト用給水配管２０の下流は、第１及び第２ノズル開閉弁２９ａ，２９ｂを介して、ミストサウナ用の水を噴霧するミストノズル１０に接続されている。このようにミスト用給水配管２０と、ミスト用熱交換器１１及び給水電磁弁２２と、ノズル開閉弁２９ａ，２９ｂ及びミストノズル１０とで、スプラッシュミスト噴霧装置３が構成されている。
【００２０】
また、上記ミスト用給水配管２０はミスト用熱交換器１１よりも下流位置で分岐排水路３１が分岐され、排水電磁弁２４を介して外部排水管に接続されており、例えば、ミスト運転開始時にミスト用熱交換器１１内やミスト用給水配管２０内に溜まっている残水を外部に排水可能とされる。
【００２１】
また、前記暖房用温水管路１６から分岐されたミスト加熱用温水管路１９の一部が配管されていると共に、ミスト加熱用温水管路１９からミスト用熱交換器１１に供給される水温が適切になったときに温水の出湯量の調節を行う水比例弁１２と、ミスト用熱交換器１１からの循環温水の戻り温度を検知するための温水戻り温度センサー２１とが設置されている。さらにミスト用熱交換器１１から吐水する水の温度を検知するためのミスト温度センサー１８が設置されている。
【００２２】
上記機器ケーシング２５の下面側に設置されるミストノズル１０は、機器ケーシング２５のグリル板２５ａに設けた開口部２５ｃに嵌め込まれる前パネル２５ｂのノズル用開口孔４０から浴室１３内に臨んで配置されている。本例ではミストノズル１０は３個設けられ、例えば、ノズル開閉弁２９ａ側の１個のミストノズル１０ａは、マイルドなミストサウナ（ミスト噴霧量が例えば０．５リットル／ｍｉｎ）を得るためのものであり、ノズル開閉弁２９ｂ側の２個のミストノズル１０ｂ，１０ｃはハードなミストサウナ（ミスト噴霧量が例えば１．０リットル／ｍｉｎ）を得るためのものである。
【００２３】
浴室１３内は制御部（図示せず）により所定温度に制御される。制御部は、リモコン操作部１５から指令されるリモコン信号以外に、浴室温度センサー９、温水往き温度センサー１７、ミスト温度センサー１８、温水戻り温度センサー２１からの各検知信号を受信すると共に、各検知結果に基づいて暖房機本体２、スプラッシュミスト噴霧装置３、及び後述する微細ミスト発生装置４の各構成部品を駆動制御するマイクロコンピュータにより構成される。
【００２４】
次に、本実施形態の微細ミスト発生装置４を説明する。  微細ミスト発生装置４は、図１０に示すように、機器ケーシング２５のグリル板２５ａの温風吹き出し口３０を挟んで吸気口２７とは反対側の位置に設けた開口部３２に取り付けられている。
【００２５】
微細ミスト発生装置４は、図１、図２に示すように、モータ６により回転駆動する回転体３４と、回転体３４を囲むように配置される衝突板３５、微細ミスト放出口３７、水受け部３８等を一体に備えた化粧カバー３９とで主体が構成される。
【００２６】
化粧カバー３９は、例えば射出成形によりＡＢＳ樹脂を用いて一体形成されており、その上面をモータ取付板４１で覆った状態で、グリル板２５ａに設けた開口部３２に嵌めこまれて固定されている。
【００２７】
本例の化粧カバー３９は、図１に示すように、上方に開口したお椀形状をしており、上端部から下端部にわたって、円筒形状の衝突板３５と、衝突板３５の下端全周に連なるスリット形状の微細ミスト放出口３７と、微細ミスト放出口３７の下端全周に連なる皿形状の水受け部３８と、水受け部３８の下端に連なるドレン回収部４２とがこの順に連続形成されている。なお、ドレン回収部４２（図３参照）は図１では図示されていない。
【００２８】
上記衝突板３５の外周面は円筒面とされるが、衝突板３５の内周面には、後述する微細ミスト放出口３７から上方向に延伸した複数のリブ４３の上端部４３ａがそれぞれ達しており、これにより衝突板３５の内周面には径方向内方に所定高さを持つ複数のリブ４３の上端部４３ａが、周方向Ａ（図６）に間隔を隔てて存在した構造となっている。
【００２９】
上記微細ミスト放出口３７には、図６に示すように、上下方向に延びるリブ４３が周方向Ａに間隔を隔てて複数本、配列されていると共に、リブ４３,４３相互間が、上記衝突板３５にて発生させた微細ミストを外部に放出するためのスリット空間となっている。
【００３０】
また、後述する注水口４５の真下に位置する隣接する２本のリブ４３,４３の間には、スリット空間（微細ミスト放出口３７）は形成されず、代わりに、幅広の微細ミスト用水通路４４を構成する樹脂壁が形成されている。微細ミスト用水通路４４の上端は衝突板３５の内面上端まで達している。
【００３１】
上記幅広の微細ミスト用水通路４４の真上には、図１に示すように、注水口４５が配置される。本例では、モータ取付板４１を細長い筒形状の注水口４５が貫通しており、注水口４５の吐水側４５ａがモータ取付板４１の下面に突出していて、微細ミスト放出口３７の開口下端よりも所定寸法Ｂ（例えば、３０ｍｍ）以上高い位置にて、下向きに開放されている。注水口４５の注入側４５ｂはモータ取付板４１の上面に突出しており、図９に示すように、ミスト用給水配管２０の給水電磁弁２２とミスト用熱交換器１１との間から分岐した分岐給水管２０ａに接続されている。分岐給水管２０ａの途中には流量を約５０［ｍｌ／分］に制限するガバナ４６と微細ミスト用電磁弁４７とが設けられている。これにより、ミスト用給水配管２０からの水が、微細ミスト用電磁弁４７とガバナ４６とを経由して注水口４５に供給され、注水口４５の吐水側４５ａから前記微細ミスト用水通路４４上に滴下（或いは流下）するようになっている。
【００３２】
上記微細ミスト用水通路４４の下端は、図１、図６に示すように、水受け部３８に連通している。水受け部３８は、微細ミスト用水通路４４から流下する所定流量の水を受けて後述する回転体３４の水上昇部５０の下端５０ａ側へ導く働きをする。本例の水受け部３８は、注水口４５の吐水側４５ａの空間に開放されていると共に、水平に対する角度α（図１）＝２０°の傾斜で、中央が下に窪んだ皿形状をしている。
【００３３】
上記水受け部３８の底には、図１に示すように、直径Ｃ（略１５ｍｍ）のドレン孔５２が開いており、図８に示すように、ドレン孔５２から所定の隙間Ｄ（約４ｍｍ）を隔てた下方にドレン回収部４２が設けられている。ドレン回収部４２は、下側に向けて窪みを持つ浅いお椀のような形状をしており、その外周部が複数（例えば４本）の支持リブ５３を介して水受け部３８の底側に支持固定されており、支持リブ５３によって上記隙間Ｄが周方向Ａに複数分割されている。またドレン回収部４２の直径Ｆは、化粧カバー３９を形成する射出成形用の金型構成上の理由から、水受け部３８のドレン孔５２の直径Ｃ（図１）よりも若干小さめの１４．５ｍｍ程度に設定される。なお、支持リブ５３の数、ドレン回収部４２の直径寸法は上記数値に限らず、適宜に変更自在である。
【００３４】
一方、回転体３４は、例えばＳＰＳ樹脂製ロータからなり、図１に示すように、回転体３４の中心部がモータ６の駆動軸６ａに連結されている。
【００３５】
回転体３４は、下端から上端にいくほど径方向寸法が徐々に大きくなる正面視逆円錐形状の水上昇部５０と、水上昇部５０の上端から更に径方向外方に張り出した平面視円盤形状の水飛散部５１とが一体に形成されている。
【００３６】
水上昇部５０の下端５０ａは、本例では平坦面となっている。水上昇部５０の下端５０ａ外周面は、前記水受け部３８のドレン孔５２に略１ｍｍ程度の空隙Ｈを隔てて挿入されている。図１の例では、水上昇部５０の下端５０ａはドレン孔５２から下方に向けて所定寸法Ｇ（３ｍｍ）突出している。
【００３７】
水飛散部５１は正面視平坦状とされる。これら水飛散部５１の下面や水上昇部５０の外周面はそれぞれ親水性材料成分を含む塗膜にて覆われている。親水性材料としては例えば酸化珪素等が挙げられるが、材料成分は特に問わない。これにより、水上昇部５０から水飛散部５１に伝い上昇する水が水滴になりにくくなり、回転体３４を６，０００ｒｐｍ、すなわち毎秒１００回転させても水滴による風切音の発生が防げる。そのうえ水上昇部５０から水飛散部５１を伝い上昇する水が、その上昇途中での水の飛散が防止でき、効率良く微細ミストを発生することができる構造となる。
【００３８】
本例の水飛散部５１は、前記衝突板３５の内周面に面した上下方向領域にあり、水飛散部５１の外周端部が、所定の空隙を隔てて、前記衝突板３５の内周面に存在する複数のリブ４３の上端部４３ａにそれぞれ対向配置されている。
【００３９】
次に、ミスト運転開始の動作例を説明する。
【００４０】
先ず、浴室の温度上昇のためには、熱量搬送能力が高く、浴室温度立ち上がり性能がよいスプラッシュミスト運転を行なう。ここで噴霧される水滴は粒子径が５０〜１００μｍ程度のスプラッシュミストである。
【００４１】
リモコン操作部１５のスプラッシュミスト運転スイッチを押すと制御部にスプラッシュミストサウナ運転開始を指令する信号が送られ、温水供給用の熱源機１４（図１１）に運転信号を出し、熱源機１４が暖房運転を開始する。次いで、図９に示す温風側の熱動弁８、ミスト側の水比例弁１２がそれぞれ開き、８０℃の循環温水が暖房用温水管路１６内及びミスト加熱用温水管路１９内を循環し始める。次いで、温水往き温度が６０℃以上になると、循環ファン５がＯＮとなり、浴室１３に温風を送る。その後、浴室温度が２５℃以上になると給水手段を構成する給水電磁弁２２を開くと共にノズル開閉弁２９ａ，２９ｂの両方又は一方を開いて、ミストノズル１０からスプラッシュミスト噴霧を開始する。
【００４２】
その後、入浴時において、リラックスしたい場合は、微細ミスト運転を実行する。図７は微細ミスト運転フローチャートを示している。リモコン操作部１５の微細ミスト運転スイッチを押すと、制御部に微細ミストサウナ運転開始を指令する信号が送られる。制御部は、モータ６をＯＮ（図７のステップｎ１）にして回転体３４を回転させる。回転体３４は約６，０００ｒｐｍで回転する。さらに微細ミスト用給水供給のための信号を出し、給水電磁弁２２と微細ミスト用電磁弁４７を共にＯＮする（ステップｎ２）。そしてガバナ４６から供給される５０［ｍｌ／分］の流量の水は、注水口４５の吐水側４５ａから滴下して、その真下に位置する幅広の微細ミスト用水通路４４を伝い流れ落ちる。水受け部３８を伝い落ちる水は、回転体３４の下端５０ａ外周面と水受け部３８のドレン孔５２内周面との間隙部位（図１のＨ部）に達すると、約６，０００ｒｐｍの高速で回転する回転体３４の水上昇部５０の下端５０ａ付近を濡らす。このとき水上昇部５０は高速で回転運動しているため、水上昇部５０の下端５０ａ付近を濡らした水には遠心力が作用して、回転体３４の中心から離れようとするが、回転体３４には親水性があるから、水は回転体３４から離れることなく、水上昇部５０から水飛散部５１の下面に伝い、最終的に水飛散部５１の外周から外方に向かって飛散する。この飛散した水は、衝突板３５の内面やそこに存在する複数のリブ４３の上端部４３ａに激しくぶつかり、細断、粉砕されて微細な霧状の水滴となり、微小粒子のミストＭが得られ、この微細ミストＭは図８に示すように、微細ミスト放出口３７から浴室内に噴出される。
【００４３】
その後、微細ミスト運転を停止する場合は、微細ミスト運転状態で、再びリモコン操作部１５の微細ミスト運転スイッチを押すと（図７のステップｎ３）、制御部に微細ミスト運転停止を指令する信号が送られ、微細ミスト用給水停止のための信号を出し、給水電磁弁２２と微細ミスト用電磁弁４７をＯＦＦする（ステップｎ４）。給水停止の１分後、モータ６を停止させ回転体３４が停止する（ステップｎ５→ｎ６）。
【００４４】
しかして、上記構成の微細ミスト発生装置４において、微細ミスト運転による水滴は、粒子径が約２０μｍの微細化されたミストであり、粒子径が５０〜１００μｍ程度のスプラッシュミストの水滴に比べ粒子径が小さいので、入浴しながら微細ミスト運転を実行しても、体が濡れにくく、ミストによる水滴が体に付着したときのツブツブ感が防止できるので、入浴しながらの快適なミストサウナ運転を実現できる。
【００４５】
またこのとき、ミスト用給水配管２０からの水滴を利用して微細ミスト（冷ミスト）を発生させることができると共に、注水口４５からの水の滴下流量をミスト発生能力より小さくすれば水受け部３８に保持される水量を最小にできるから、水受け部３８における乾燥が容易に行え、雑菌の発生防止が行いやすいものである。また本例では、注水口４５の吐水側４５ａは微細ミスト放出口３７の開口下端より所定寸法Ｂ（例えば３０ｍｍ）以上高い位置に開放され、しかも注水口４５の吐水側４５ａから流下する水の流量は５０ｍｌ／分と少ないから、水の供給が容易で、且つ断水時などにも水の注水口４５からの逆流がないから、いわゆる上水道のクロスコネクション対策が容易になる利点がある。
【００４６】
また本例では、浴室天井に設置される暖房機本体２の下面に微細ミスト発生装置４を取り付け、微細ミスト発生装置４の全周に微細ミスト放出口３７を設けたことにより、発生した微細ミストの浴室内における分布がきわめて良くなる。
【００４７】
また本例では、衝突板３５の内面に微細ミスト放出口３７の複数のリブ４３の上端部４３ａを延伸させたので、回転体３４の水飛散部５１からの水の飛散方向（水飛散部５１の外周円に接する方向）と、リブ４３の上端部４３ａの突出方向（径方向内方）とが略直交することで水滴の衝撃が大きくなるから水の微細化がより促進され、リブ４３がない場合と比べて、同じ粒子径にまで微細化するときの回転体３４の回転速度が小さく抑えることができる。これにより、回転体３４の回転に伴う騒音の発生が低減できると共に、モータ６の軸受の磨耗防止にも有効となる。
【００４８】
また本例では、回転体３４の水上昇部５０の下端５０ａが水受け部３８のドレン孔５２から下方に突出し且つ水受け部３８は上記ドレン孔５２に向かうように下り傾斜しているので、回転体３４が所定の速度以上で回転する運転中は水を回転体３４の水上昇部５０の下端５０ａにスムーズに導いて微細ミスト用の水として利用できる。
【００４９】
ここにおいて、回転体３４と水受け部３８との間隙は約１ｍｍであり、この場合、回転体３４の回転速度が約６，０００ｒｐｍの時には、回転体３４と水受け部３８との間隙部位（図１のＨ部）に達した水は前記間隙から下に落下することなく、全て水上昇部５０を伝い上昇することができる。仮りに回転体３４の回転速度が約４，０００ｒｐｍ以下に低下した場合は、回転体３４と水受け部３８との間隙部位に達した水の一部は前記間隙から下に滴下することが確認されている。
【００５０】
万が一、回転体３４と水受け部３８との間隙から水滴が滴下した場合には、滴下した水滴はドレン回収部４２により一旦補足される。そして、補足された水滴の集積が進むと、浅いお椀のような形状をしたドレン回収部４２の外周縁から溢れようとするが、水は表面張力によりドレン回収部４２の外周縁より高い位置に盛り上がる。このとき正面視における水上昇部５０の下端５０ａとドレン回収部４２の外周部上端との間には、１ｍｍ以内の隙間d（図８参照）が存在するが、水の表面張力による回収部の外周縁よりの盛り上がりは１ｍｍ以上となる。このように盛り上がったドレン回収部４２の水が高速で回転する水上昇部５０の下端５０ａに接触することにより、前述と同様にドレン回収部４２の水は水上昇部５０を伝い上昇し、微細ミストとして再利用される。これにより、微細化されなかった水滴を回収し再利用するために、噴霧のための加圧装置（ポンプなど）が不要となり、そのうえ微細化されなかった水を再利用するために浴室内に垂れ流すことがないため省資源となる。しかも、ドレン回収部４２上端と水受け部３８下端で形成される隙間Ｄ（図８）の上下方向寸法は約４ｍｍとしており、前記支持リブ５３によって周方向Ａに４分割されているから、内部の回転体３４に誤って指で直接触れてしまうおそれがなく安全である。
【００５１】
さらに本例では、運転中に発生した微細ミストが、化粧カバー３９の外周面に付着して結露した場合、化粧カバー３９の外周面を伝って流れ落ち、水受け部３８下部に位置する直径１５ｍｍのドレン孔５２の周縁部に達したとき、この水は、一旦ドレン回収部４２で補足された後に、前述した原理で微細ミストとして再利用される。また化粧カバー３９の外側を伝い流れる水の一部はドレン回収部４２の４本の支持リブ５３を伝いドレン回収部４２で補足される。
【００５２】
なお、ドレン回収部４２の４本の支持リブ５３を伝わないで直径１５ｍｍの穴の周縁部から真下に滴下する水滴がある場合は、金型構成上の都合によりドレン回収部４２の直径Ｆ（図８）は１４．５ｍｍであり、図１に示すドレン孔５２の直径Ｃ（１５ｍｍ）よりやや小さめにしてあるから、ドレン回収部４２に補足されないおそれがある。そこで本例では、回転体３４の水上昇部５０の下端５０ａがドレン孔５２から約３ｍｍ程度、下方に突出しているため（図１のＧ）、ドレン回収部４２の４本の支持リブ５３を伝わないで直径１５ｍｍの穴の周縁部から真下に滴下する水滴がある場合にも、水の表面張力によりドレン孔５２の周縁部で水滴の径は大きくなって、水滴は真下に滴下する前にある程度の大きさに成長した時点で、下方に突出して高速で回転している回転体３４の下端５０ａに接触することとなり、前述したような原理で微細ミストとして再利用されることになる。
【００５３】
一方、微細ミスト運転を停止して回転体３４が停止中は、水上昇部５０における水を上昇させる力が発生しないため、回転体３４と水受け部３８との間隙部位（図１のＨ部）に残った水は下に落ち、水受け部３８は常に乾燥し雑菌が繁殖しにくい状態となる。従って、悪臭やレジオネラ菌などの雑菌の発生を防止するため、頻繁な水受け部３８内の水換えや清掃が不要となり、使用者にとって煩わしい作業を省略できる。特に、微細ミスト発生装置４の設置場所が浴室の天井等、高所・多湿の場所となるため清掃作業が困難であることから、本構成はきわめて有効である。また、浴室天井付近への設置の場合には回転体３４が停止中も天井面の結露水の流れ込みや、使用者による水の飛散などによる化粧カバー３９内への水の浸入が起こった場合でも、上記のように雑菌が繁殖するおそれがない。
【００５４】
なお前記実施形態では、水上昇部５０の下端５０ａを平坦としたが、必ずしも平坦である必要はなく、要するに、微細ミスト運転時における回転体３４の回転により、水上昇部５０の下端５０ａ付近における微細ミストに供するための水との接触部の速度が、微細ミスト上昇部を水が伝い上昇するに足りる程度の速度以上に上昇する形状であれば良い。さらに、水上昇部５０の下端５０ａを適宜アール処理を施したり、湾曲させたりすることも好ましい。この場合、適宜アール処理を施したり、湾曲させることにより、万が一使用者が高速で回転する回転体３４に触れた場合も、怪我をするリスクが低減できる利点がある。
【００５５】
また、微細ミスト運転停止の後、浴室暖房乾燥機能による所定時間の乾燥運転を行うことで、化粧カバー３９や回転体３４などに付着した水滴の乾燥を促進することがより好ましい。これにより、雑菌が繁殖の防止が確実に行える。なお、この乾燥運転に当たっては、温風吹き出し口からの温風の風向を微細ミスト発生装置４側に向けることで、化粧カバー３９、回転体３４などに付着した水滴の乾燥がさらに促進されることになる。
【００５６】
図１２は参考として示す他の実施形態であり、水受け部３８にドレン孔５２（図１）を設けない構造としたものである。この構造では、浴室天井付近への設置において、微細ミスト発生装置４が停止中も天井面の結露水の流れ込みや、入浴者による水の飛散などによって、装置内部への水の浸入が起こった場合には、運転により装置内部の水が入れ替わるまでに、雑菌が繁殖するおそれがある。そこで、ドレン孔５２（図１）を設けることが望ましい。なおドレン孔５２を設けない構造にあっても、前記図１と同じ原理で、水受け部３８に水を供給し、回転体３４をモータ６によって回転させることにより、水受け部３８に溜められた水が回転体３４の水上昇部５０を伝い上昇し、衝突板３５に当たることにより破砕され微細ミストを発生させることが可能である。
【００５７】
図１３は更に他の実施形態であり、グリル板２５ａに取り付けられる微細ミスト発生装置４の外周部にドレン誘導板３６が設けられている。他の構成は図４と同様である。本例のドレン誘導板３６は、衝突板３５と、グリル板の微細ミスト発生装置４取付用の開口部との周辺部を覆うように、逆円錐筒状に形成されており、ドレン誘導板３６の最も低い箇所の内側箇所は、衝突板３５と微細ミスト放出口３７との境界付近を取り囲むように配置されている。
【００５８】
ちなみに、グリル板の微細ミスト発生装置４の外周部では、微細ミスト発生により水滴が付着しやすい状態にあり、この水滴の付着が継続すると水滴が成長する。グリル板の微細ミスト発生装置４の外周周辺部は略水平面であるから、成長した水滴がそのまま落下しやすく、下に使用者がいる場合には体に水滴が滴下するため不快感の原因になる。これに対し本例では、逆円錐筒状のドレン誘導板３６を設けているので、グリル板の下面に付着、成長した水滴がドレン誘導板３６の外面を伝い流れて、ドレン誘導板３６で最も低く内側の箇所である、衝突板３５と微細ミスト放出口３７との境界付近で、化粧カバー３９内部に移動して、前述の原理によって微細ミストとして再利用されるようになり、化粧カバー３９からの水の滴下を防ぐことができ、きわめて省資源となる。
【００５９】
図１４は更に他の実施形態である。微細ミスト発生装置４の回転体３４、衝突板３５、水受け部３８等により、微細ミストを生成する微細ミスト生成部６０が構成されている。この微細ミスト生成部６０から微細ミスト放出口３７に至る途中空間に、放出された微細ミストに光を照射するＬＥＤ５５が設けられている。本例では化粧カバー３９の上面を覆うモータ取付板４１の下面には、回転体３４の水飛散部５１よりも上側に位置するようにＬＥＤ装着部５６（図３（ｂ）参照、ただし水飛散部５１は図示を省略している）が、同心円上に６箇所設けられ、緑ＬＥＤ５５と青ＬＥＤ５５とが交互に３個ずつ実装配列されている。
【００６０】
各ＬＥＤ５５は、透明なレンズ部５９にてそれぞれ覆われている。レンズ部５９は、ＬＥＤ５５を実装する基板ユニット６０側への水分の浸入を防止する働きをする。しかもこのレンズ部５９は、ミスト温度の低い冷ミスト雰囲気に晒されるので、レンズ部５９の表面には冷ミストによる水膜が張るようになり、この水膜によってＬＥＤ５５を冷却でき、ＬＥＤ５５の温度を降下させることにより、ＬＥＤ５５に流せる電流値のアップ及び寿命の向上が図られる。
【００６１】
各ＬＥＤ５５は、微細ミスト放出口３７の内側であって、且つ微細ミストの放出角度以外の角度から人の視界に直接入らない位置に配置される。つまりＬＥＤ５５は、回転体３４の上方位置における水飛散部５１の平面視投影領域Ｙ内で且つ上記衝突板３５の上下方向領域Ｘ内に配置している。このように、各ＬＥＤ５５は回転体３４の上方に位置しているから、図１４の真下方向Ｐ１からは各ＬＥＤ５５は見えないようになり、さらに、各ＬＥＤ５５は衝突板３５と同じ高さ範囲に位置しているから、図１４の真横方向Ｐ２からも見えないようになっている。これにより、真下と真横の間の範囲θ内における方向Ｐ３からしか、ＬＥＤ５５が直接見えないようになっている。これにより、微細ミスト運転時において、リモコン操作部１５（図１１）のＬＥＤスイッチを押すと、各ＬＥＤ５５が点灯し、噴霧される微細ミストＭが各ＬＥＤ５５からの光照射により間接的に発光する（着色された）状態に見える。このとき各ＬＥＤ５５は微細ミスト放出口３７から放出される微細ミストＭ越しにしか見ることができない。しかも、青や緑にライトアップされた微細ミストＭが、ゆらゆらと噴霧される様子を見ることで、リラックスできる雰囲気を醸し出す。このとき、各ＬＥＤ５５の輝度を適宜時間経過と共に変化させることで、視覚に対し変化を与え、同様の状態が継続することにより退屈感が生じることがない。或いは、各ＬＥＤ５５の色を適宜時間経過と共に変化させることで、視覚に対し変化を与え、同様の状態が継続することにより退屈感が生じることがない。さらに、青、緑の各色ごとの輝度を適宜時間経過と共に変化させることで、異なる色の各ＬＥＤ５５を同時に発光させた場合に視認される合成色の色合いが変化するから、視覚に対し変化を与え、同様の状態が継続することにより退屈感が生じることがないものである。
【図面の簡単な説明】
【００６２】
【図１】本発明の一実施形態の微細ミスト発生装置を示す正面断面図である。
【図２】同上の微細ミスト発生装置を具備した微細ミスト発生機能付き浴室暖房乾燥機を下方から見た斜視図である。
【図３】（ａ）は同上の微細ミスト発生装置の正面図、（ｂ）は下面図である。
【図４】同上の微細ミスト発生装置を機器ケーシングのグリル板に取り付けた状態の正面図である。
【図５】（ａ）は同上の回転体の正面図、（ｂ）は底面図である。
【図６】同上の化粧カバーの平面図である。
【図７】同上の微細ミスト運転のフローチャートである。
【図８】同上の微細ミスト発生装置の微細ミスト放出口から微細ミストが噴霧する状態の説明図である。
【図９】同上の微細ミスト発生機能付き浴室暖房乾燥機の配管図である。
【図１０】同上の微細ミスト発生機能付き浴室暖房乾燥機の内部構造を説明する断面図である。
【図１１】同上の微細ミスト発生機能付き浴室暖房乾燥機を浴室天井に設置した状態の説明図である。
【図１２】同上の水受け部のドレン孔を省略した参考として示す他の実施形態の説明図である。
【図１３】同上の微細ミスト発生装置の外周にドレン誘導板を取り付けた状態の正面図である。
【図１４】同上の微細ミスト発生装置内部にＬＥＤを配置した場合の正面図である。
【符号の説明】
【００６３】
１  浴室暖房乾燥機
２  暖房機本体
４  微細ミスト発生装置
６  モータ
３４  回転体
３５  衝突板
３６  ドレン誘導板
３７  微細ミスト放出口
３８  水受け部
４３  リブ
４５  注水口
４５ａ  吐水側
５０  水上昇部
５０ａ  下端
５１  水飛散部
５２  ドレン孔
【図１】
2010084949.tif 000003
【図２】
2010084949.tif 000004
【図３】
2010084949.tif 000005
【図４】
2010084949.tif 000006
【図５】
2010084949.tif 000007
【図６】
2010084949.tif 000008
【図７】
2010084949.tif 000009
【図８】
2010084949.tif 000010
【図９】
2010084949.tif 000011
【図１０】
2010084949.tif 000012
【図１１】
2010084949.tif 000013
【図１２】
2010084949.tif 000014
【図１３】
2010084949.tif 000015
【図１４】
2010084949.tif 000016